(57)【要約】【課題】従来の時分割駆動方法を使用する場合に発生する境界明滅現象と疑似輪郭現象を改善して、高い表示品質を有する、有機ＥＬ表示装置などの平板表示装置及びその駆動方法を提供すること。【解決手段】本発明は、１つのフレームをオン駆動時間を有する複数のサブフレームに分割する段階であって、前記１つ以上のオン駆動時間の加重値が非２進コードの形で表現される段階と；前記各サブフレーム内で、オン駆動ゲート信号を画素に印加して、前記画素をオン駆動する段階と；前記各サブフレームに対応するデータ信号の各ビットを画素に印加する段階を含む、平板表示装置の駆動方法を提供する。【選択図】    図５
2005284254.tif 000002
【特許請求の範囲】
【請求項１】
１つのフレームをオン駆動時間を有する複数のサブフレームに分割する段階であって、前記１つ以上のオン駆動時間の加重値は、非２進コードの形で表現される段階と；
前記複数のサブフレームの各々において、オン駆動ゲート信号を画素に印加して、前記画素をオン駆動する段階と；
前記複数のサブフレームの各々に対応するデータ信号の各ビットを画素に印加する段階とを含む平板表示装置の駆動方法。
【請求項２】
前記平板表示装置は、有機ＥＬ表示装置であることを特徴とする請求項１に記載の方法。
【請求項３】
前記複数のサブフレームの各々のオン駆動時間の間、前記データ信号の各ビットによって、パワー信号を前記画素に印加する段階をさらに含むことを特徴とする請求項２に記載の方法。
【請求項４】
前記複数のサブフレームの各々のオン駆動時間以後に、オフ駆動ゲート信号を前記画素に印加して、前記画素をオフ駆動する段階をさらに含むことを特徴とする請求項３に記載の方法。
【請求項５】
ソースデータ信号を前記データ信号に変換する段階をさらに含み、前記データ信号は、前記ソースデータ信号より多数のビットを有することを特徴とする請求項１に記載の方法。
【請求項６】
前記データ信号は、前記ソースデータ信号と同じ階調の情報を有することを特徴とする請求項５に記載の方法。
【請求項７】
前記画素は、前記オン駆動ゲート信号を受ける第１スイッチングトランジスタと、前記オフ駆動ゲート信号を受ける第２スイッチングトランジスタと、有機発光素子に接続されるドライビングトランジスタとを含むことを特徴とする請求項４に記載の方法。
【請求項８】
前記第１スイッチングトランジスタは、各サブフレーム内で、オン駆動ゲート信号によって、前記データ信号の各ビットを前記ドライビングトランジスタに印加して、前記ドライビングトランジスタが各サブフレームのオン駆動時間の間、前記有機発光素子にパワー信号を印加することを特徴とする請求項７に記載の方法。
【請求項９】
前記第２スイッチングトランジスタは、各サブフレーム内で、オフ駆動ゲート信号によって、パワー信号を前記ドライビングトランジスタのゲート電極に印加して、前記ドライビングトランジスタがオフ駆動されて、前記有機発光素子が消光されることを特徴とする請求項７に記載の方法。
【請求項１０】
１つのフレームをオン駆動時間を有する複数のサブフレームに分割するタイミングコントローラーであって、前記１つ以上のオン駆動時間の加重値は、非２進コードの形で表現されるタイミングコントローラーと；
前記複数のサブフレームの各々において、オン駆動ゲート信号を画素に印加して、前記画素をオン駆動するゲートドライバーと；
前記複数のサブフレームの各々に対応するデータ信号の各ビットを画素に印加するデータドライバーとを含む平板表示装置。
【請求項１１】
前記平板表示装置は、有機ＥＬ表示装置であることを特徴とする請求項１０に記載の平板表示装置。
【請求項１２】
前記複数のサブフレームの各々のオン駆動時間の間、前記データ信号の各ビットによって、パワー信号を前記画素に印加するパワーソースをさらに含むことを特徴とする請求項１１に記載の平板表示装置。
【請求項１３】
前記ゲートドライバーは、各サブフレームのオン駆動時間以後に、オフ駆動ゲート信号を前記画素に印加して、前記画素をオフ駆動することを特徴とする請求項１２に記載の平板表示装置。
【請求項１４】
ソースデータ信号を前記データ信号に変換するデータコンバーターをさらに含み、前記データ信号は、前記ソースデータ信号より多数のビットを有することを特徴とする請求項１０に記載の平板表示装置。
【請求項１５】
前記データ信号は、前記ソースデータ信号と同じ階調の情報を有することを特徴とする請求項１４に記載の平板表示装置。
【請求項１６】
前記画素は、前記オン駆動ゲート信号を受ける第１スイッチングトランジスタと、前記オフ駆動ゲート信号を受ける第２スイッチングトランジスタと、有機発光素子に接続されるドライビングトランジスタとを含むことを特徴とする請求項１３に記載の平板表示装置。
【請求項１７】
前記第１スイッチングトランジスタは、各サブフレーム内で、オン駆動ゲート信号によって、前記データ信号の各ビットを前記ドライビングトランジスタに印加して、前記ドライビングトランジスタが各サブフレームのオン駆動時間の間、前記有機発光素子にパワー信号を印加することを特徴とする請求項１６に記載の平板表示装置。
【請求項１８】
前記第２スイッチングトランジスタは、各サブフレーム内で、オフ駆動ゲート信号によって、パワー信号を前記ドライビングトランジスタのゲート電極に印加して、前記ドライビングトランジスタがオフ駆動されて、前記有機発光素子が消光されることを特徴とする請求項１６に記載の平板表示装置。
【請求項１９】
１つのフレームをオン駆動時間を有する複数のサブフレームに分割する段階と；
Ｎビットのソースデータ信号を２進コードと非２進コードで表現されるＭビットのデータ信号に変換する段階であって、ＮとＭは各々整数であり、ＭはＮより大きく、前記サブフレームの数はＭであり、前記Ｍビットのデータ信号の各ビットは、前記複数のサブフレームの各々のオン駆動信号の加重値に対応する段階と；
前記各サブフレーム内で、前記Ｍビットのデータ信号の各ビットを前記画素に印加する段階とを含む平板表示装置の駆動方法。
【請求項２０】
前記平板表示装置は有機ＥＬ表示装置であることを特徴とする請求項１９に記載の方法。
【請求項２１】
前記複数のサブフレームの各々のオン駆動時間の間、前記Ｍビットのデータ信号の各ビットによって、パワー信号を前記画素に印加する段階をさらに含むことを特徴とする請求項２０に記載の方法。
【請求項２２】
前記複数のサブフレームの各々のオン駆動時間以後に、オフ駆動ゲート信号を前記画素に印加して、前記画素をオフ駆動する段階をさらに含むことを特徴とする請求項２１に記載の方法。
【請求項２３】
前記Ｍビットのデータ信号は、前記Ｎビットのソースデータ信号と同じ階調の情報を有することを特徴とする請求項１９に記載の方法。
【請求項２４】
前記画素は、前記オン駆動ゲート信号を受ける第１スイッチングトランジスタと、前記オフ駆動ゲート信号を受ける第２スイッチングトランジスタと、有機発光素子に接続されるドライビングトランジスタとを含むことを特徴とする請求項２２に記載の方法。
【請求項２５】
前記第１スイッチングトランジスタは、各サブフレーム内で、オン駆動ゲート信号によって、前記データ信号の各ビットを前記ドライビングトランジスタに印加して、前記ドライビングトランジスタが各サブフレームのオン駆動時間の間、前記有機発光素子にパワー信号を印加することを特徴とする請求項２４に記載の方法。
【請求項２６】
前記第２スイッチングトランジスタは、各サブフレーム内で、オフ駆動ゲート信号によって、パワー信号を前記ドライビングトランジスタのゲート電極に印加して、前記ドライビングトランジスタがオフ駆動されて、前記有機発光素子が消光されることを特徴とする請求項２４に記載の方法。
【請求項２７】
１つのフレームをオン駆動時間を有する複数のサブフレームに分割する段階と；
Ｎビットのソースデータ信号を、２進コードで表現される部分と非２進コードで表現される部分とを有するＭビットのデータ信号に変換する段階であって、ＮとＭは各々整数であり、ＭはＮより大きく、前記複数のサブフレームの数はＭであり、前記Ｍビットのデータ信号の各ビットは、前記複数のサブフレームの各々のオン駆動信号の加重値に対応する段階と；
前記複数のサブフレームの各々において、前記Ｍビットのデータ信号の各ビットを前記画素に印加する段階とを含み、非２進コードで表現される部分において、高いビットの加重値は、低い２つのビットの加重値を合わせたものと同じか、もしくは小さい、平板表示装置の駆動方法。
【発明の詳細な説明】
【技術分野】
【０００１】
本発明は、平板（平面）表示装置に係り、より詳しくは、有機ＥＬ表示装置およびその駆動方法に関する。
【背景技術】
【０００２】
最近まで、表示素子として一般的に、陰極線管(cathode ray tube)が使用されていた。現在は、陰極線管に代わる表示素子として、液晶表示装置ＬＣＤ，プラズマディスプレーパネルＰＤＰ、電界放出表示装置ＥＬＤのような、多様な形態の平板（平面）表示装置に関する研究や開発が行われている。このような平板表示装置のうち、プラズマディスプレーパネルは、表示面積が大きい長所があるが、輝度が低く、電力消費が高い短所がある。液晶表示装置は、薄型化ができる長所があるが、表示面積が小さい短所がある。一方、有機ＥＬ（エレクトロ・ルミネッセンス、電界発光）表示装置は、発光表示装置として、応答の速度が速くて、輝度が高く、視野角が大きい長所がある。
【０００３】
図１は、一般的な有機ＥＬ素子（ＯＬＥＤ、有機ＥＬ発光ダイオード）を示した断面図である。
【０００４】
図１に示したように、有機ＥＬ素子は、基板１上に、順に配置された陽極(anode)２、正孔注入層３、発光層４、電子注入層５、陰極６を含んで構成される。
【０００５】
正孔注入電極(陽極、anode)と電子注入電極(陰極、cathode)６に駆動電圧が印加されると、正孔注入層３内の正孔と電子注入層５内の電子は、各々発光層４の方へと移動して、光を放出する。発光層４から放出された光を使用して、映像を表示する。
【０００６】
有機ＥＬ表示装置は、階調を表示するため、表面領域分割の駆動方法や時分割駆動方法によって駆動される。
【０００７】
表面領域分割の駆動方法は、１つの画素を多数のサブ画素に分割して、多数のサブ画素の各々に対応する多数のデータ信号によって、多数のサブ画素を独立的に分割駆動して、階調の表示を行う駆動方法である。ところが、表面領域分割の駆動方法を使用する場合に、画素の構造が複雑になる短所がある。
【０００８】
一方、時分割駆動方法は、１つのフレーム(frame)を多数のサブフレームに分割して、各サブフレームの期間の間、画素をオン(ｏｎ)/オフ(ｏｆｆ)駆動して、階調の表示を行う駆動方法である。時分割駆動方法での階調は、１つのフレームの間、各サブフレームのオン(ｏｎ)駆動時間を合わせて、表示される。有機ＥＬ素子は、他の平板表示素子に比べて、相対的に、応答の速度が速いので、時分割駆動方法は、有機ＥＬ表示装置に適合して使用され得る。
【０００９】
図２は、有機ＥＬ装置を駆動するための従来の時分割駆動方法のタイミングを示した図である。
【００１０】
また、表１は、従来の時分割駆動方法で、階調を表示するための各サブ画素のオン駆動時間を示している。
【表１】
2005284254.tif 000003
【００１１】
図２においては、表１に示したように、データ信号は、８ビットの２進コード(binary code)で表示されて、２５６(２8)個の階調の情報がある。１つのフレームＦは、第１ないし第８サブフレームに分割されるが、第１ないし第８サブフレームの各々は、データ信号の最下位ビットから最上位ビットまでに対応する。すなわち、データ信号の１番目の次数のビット(最下位ビット)は、第１サブフレームに対応して、データ信号の２番目の次数のビットから８番目の次数のビットまでは、第２ないし第８サブフレームに各々対応する。
【００１２】
各サブフレームＳＦは、オン駆動時間ＬＴとオフ駆動時間ＵＴがある。有機ＥＬ装置の画素は、各サブフレームＳＦの間、垂直方向(Ｖ-scan)に沿って、順にスキャン(scan)されるので、各オン駆動時間ＬＴは、斜線方向に沿う。各サブフレームＳＦのオン駆動時間ＬＴは、各サブフレームＳＦに対応するビットの加重値、すなわち、２進コードの２のべき数に対応する。従って、各サブフレームＳＦのオン駆動時間ＬＴは、２進コードで表現されて、第１ないし第８オン駆動時間(ＬＴ１ないしＬＴ８)の加重値は、
ＬＴ１：ＬＴ２：ＬＴ３：ＬＴ４：ＬＴ５：ＬＴ６：ＬＴ７：ＬＴ８
＝２0：２1：２2：２3：２4：２5：２6：２7
のような関係になる。
【００１３】
画素は、各サブフレームＳＦの間に、データ信号の各ビットが論理値「１」である場合に発光して、論理値「０」である場合に発光しなくなる。従って、論理値が「１」である場合に、オン駆動時間ＬＴは、発光時間に当たる。結局、階調は、１つのフレームＦの間の発光時間を合わせて表示される。
【００１４】
階調が従来の時分割駆動方法で表示される場合に、相互に異なる階調を表示するデータ信号の対応するビットの全部または、一部が相互に異なる論理値を有することができる。
【００１５】
例えば、第１データ信号は、１２７番目の階調、すなわち、ｎ＝８の場合に、(２ｎ-１)番目の階調を表示するため、「01111111」のような２進コードで表現されて、第２データ信号は、１２８番目の階調、すなわち、ｎ＝８の場合に、２ｎ番目の階調を表示するため、「10000000」のような２進コードで表現される。従って、第１データ信号を受ける第１画素は、第１ないし第７サブフレーム(ＳＦ１ないしＳＦ７)の間、発光して、第２データ信号を受ける第２画素は、第８サブフレームＳＦ８の間、発光する。すなわち、１２７番目の階調を表示する第１画素と１２８番目の階調を表示する第２画素は、交差（重複）して発光する。結局、第１ないし第８サブフレーム(ＳＦ１ないしＳＦ８)の間、第１画素が交差して発光する時間のパーセンテージは、100％(＝127/127＊100)になって、また、第２画素が交差して発光する時間のパーセンテージ(percentage)は、100％(＝128/128＊100)になる。
【００１６】
さらに、第１データ信号が１２７番目の階調を表示するため、「01111111」のような２進コードで表現されて、第３データ信号は、１５９番目の階調を表示するため、「10011111」のような２進コードで表現される。ここで、第１データ信号と第３データ信号は、６番目のビット、７番目のビットで、相互に異なる論理値を有する。従って、１２７番目の階調を表示する第１画素と、１５９番目を表示する第３画素は、第６ないし第８サブフレーム(ＳＦ６ないしＳＦ８)の間、交差して発光する。結局、第６ないし第８サブフレーム(ＳＦ６ないしＳＦ８)の間、第１画素が交差して発光する時間のパーセンテージ(percentage)は、76％(＝(32＋64＋0)/127＊100)になって、また、第３画素が交差して発光する時間のパーセンテージは、81％(＝(0＋0＋128)/159＊100)になる。
【００１７】
前述した例に示したように、相互に異なる階調を表示するデータ信号の対応するビットの全部または、一部が相互に異なる論理値を有することができる。また、相互に異なる論理値を有する対応するビットの次数が高いほど、交差して発光する時間は、画素の発光時間のほとんどを占める。
【００１８】
従来の時分割駆動方法で、データ信号は、２進コードで表現される多数のビットを有して、データ信号の各ビットに対応する各サブ画素のオン駆動時間も、２進コードで表現される加重値を有するようになって、データ信号のビットの次数が増加することによって、オン駆動時間の２のべき数に増加するようになる。従って、相互に異なる論理値を有する対応するビットの次数が高いほど、相互に異なる階調を表示する画素が交差して発光する時間は、画素の発光時間のほとんどを占める。結局、従来の時分割駆動方法によって駆動される有機ＥＬ表示装置が停止画像を表示する場合には、境界明滅現象(border flicker phenomenon)が発生して、動画像を表示する場合には、疑似輪郭現象(false contour phenomenon)が発生する。
【発明の開示】
【発明が解決しようとする課題】
【００１９】
前述したような問題を解決するための本発明の目的は、従来の時分割駆動方法を使用する場合に発生する境界明滅現象と疑似輪郭現象を改善して、高い表示品質を有する、有機ＥＬ表示装置などの平板表示装置及びその駆動方法を提供する。
【課題を解決するための手段】
【００２０】
前述したような目的を達成するため、本発明の平板表示装置の駆動方法は、１つのフレームをオン駆動時間を有する複数のサブフレームに分割する段階であって、前記１つ以上のオン駆動時間の加重値は、非２進コードの形で表現される段階と；前記各サブフレーム内で、オン駆動ゲート信号を画素に印加して、前記画素をオン駆動する段階と；前記各サブフレームに対応するデータ信号の各ビットを画素に印加する段階とを含むことを特徴とする。
【００２１】
本発明の一実施例によれば、本発明の平板表示装置は、有機ＥＬ表示装置である。
【００２２】
本発明の一実施例によれば、本発明の平板表示装置の駆動方法は、前記各サブフレームのオン駆動時間の間、前記データ信号の各ビットによって、パワー信号を前記画素に印加する段階をさらに含む。
【００２３】
本発明の一実施例によれば、本発明の平板表示装置の駆動方法は、前記各サブフレームのオン駆動時間以後に、オフ駆動ゲート信号を、前記画素に印加して、前記画素をオフ駆動する段階をさらに含む。
【００２４】
本発明の一実施例によれば、本発明の平板表示装置の駆動方法は、ソースデータ信号を前記データ信号に変換する段階を含み、データ信号は、前記ソースデータ信号より多い数のビットを有する。
【００２５】
本発明の一実施例によれば、本発明の平板表示装置の駆動方法において、前記データ信号は、前記ソースデータ信号と同じ階調の情報を有する。
【００２６】
本発明の一実施例によれば、本発明の平板表示装置の駆動方法において、前記画素は、前記オン駆動ゲート信号を受ける第１スイッチングトランジスタと、前記オフ駆動ゲート信号を受ける第２スイッチングトランジスタと、有機発光素子に接続されるドライビングトランジスタを含む。
【００２７】
本発明の一実施例によれば、本発明の平板表示装置の駆動方法において、前記第１スイッチングトランジスタは、各サブフレーム内で、オン駆動ゲート信号によって、前記データ信号の各ビットを前記ドライビングトランジスタに印加して、前記ドライビングトランジスタが各サブフレームのオン駆動時間の間、有機発光素子にパワー信号を印加する。
【００２８】
本発明の一実施例によれば、本発明の平板表示装置の駆動方法において、前記第２スイッチングトランジスタは、各サブフレーム内で、オフ駆動ゲート信号によって、パワー信号を前記ドライビングトランジスタのゲート電極に印加して、前記ドライビングトランジスタがオフ駆動されて、前記有機発光素子が消光される。
【００２９】
また、本発明の平板表示装置は、１つのフレームをオン駆動時間を有する複数のサブフレームに分割するタイミングコントローラーであって、オン駆動時間の加重値が２進コードの形で表されるタイミングコントローラーと；前記各サブフレーム内で、オン駆動ゲート信号を画素に印加して、前記画素をオン駆動するゲートドライバーと；前記各サブフレームに対応するデータ信号の各ビットを画素に印加するデータドライバーを含むことを特徴とする。
【００３０】
本発明の一実施例によれば、平板表示装置は、有機ＥＬ表示装置である。
【００３１】
本発明の一実施例によれば、平板表示装置は、前記各サブフレームのオン駆動時間の間、前記データ信号の各ビットによって、パワー信号を前記画素に印加するパワーソースをさらに含む。
【００３２】
本発明の一実施例によれば、平板表示装置において、前記ゲートドライバーは、各サブフレームのオン駆動時間以後に、オフ駆動ゲート信号を、前記画素に印加して、前記画素をオフ駆動する。
【００３３】
本発明の一実施例によれば、平板表示装置は、ソースデータ信号を前記データ信号に変換するデータコンバーターをさらに含み、前記データ信号は、前記ソースデータ信号より多い数のビットを有する。
【００３４】
本発明の一実施例によれば、平板表示装置は、前記データ信号は、前記ソースデータ信号と同じ階調の情報を有する。
【００３５】
本発明の一実施例によれば、前記画素は、前記オン駆動ゲート信号を受ける第１スイッチングトランジスタと、前記オフ駆動ゲート信号を受ける第２スイッチングトランジスタと、有機発光素子に連結されるドライビングトランジスタを含む。
【００３６】
本発明の一実施例によれば、前記第１スイッチングトランジスタは、各サブフレーム内で、オン駆動ゲート信号によって、前記データ信号の各ビットを前記ドライビングトランジスタに印加して、前記ドライビングトランジスタが各サブフレームのオン駆動時間の間、前記有機発光素子にパワー信号を印加する。
【００３７】
本発明の一実施例によれば、前記第２スイッチングトランジスタは、各サブフレーム内で、オフ駆動ゲート信号によって、パワー信号を前記ドライビングトランジスタのゲート電極に印加して、前記ドライビングトランジスタがオフ駆動されて、前記有機発光素子が消光される。
【００３８】
さらに、本発明の平板表示装置の駆動方法は、１つのフレームをオン駆動時間を有する複数のサブフレームに分割する段階と；Ｎビットのソースデータ信号を２進コードと非２進コードで表現されるＭビットのデータ信号に変換する段階であって、ＮとＭは各々整数であり、Ｍは、Ｎより大きくて、前記サブフレームの数はＭであり、前記Ｍビットのデータ信号の各ビットは、前記各サブフレームのオン駆動信号の加重値に対応する段階と；前記各サブフレーム内で、前記Ｍビットのデータ信号の各ビットを前記画素に印加する段階とを含むことを特徴とする。
【００３９】
本発明の一実施例によれば、前記平板表示素子は、有機ＥＬ表示装置である。
【００４０】
本発明の一実施例によれば、平板表示装置の駆動方法は、前記各サブフレームのオン駆動時間の間、前記Ｍビットのデータ信号の各ビットによって、パワー信号を前記画素に印加する段階を含む。
【００４１】
本発明の一実施例によれば、平板表示装置の駆動方法は、前記各サブフレームのオン駆動時間以後に、オフ駆動ゲート信号を前記画素に印加して、前記画素をオフ駆動する段階をさらに含む。  
【００４２】
本発明の一実施例によれば、平板表示装置の駆動方法において、前記Ｍビットのデータ信号は、前記Ｎビットのソースデータ信号と同じ階調の情報を有する。
【００４３】
本発明の一実施例によれば、平板表示装置の駆動方法において、前記画素は、前記オン駆動ゲート信号を受ける第１スイッチングトランジスタと、前記オフ駆動ゲート信号を受ける第２スイッチングトランジスタと、有機発光素子に連結されるドライビングトランジスタを含む。
【００４４】
本発明の一実施例によれば、平板表示装置の駆動方法において、前記第１スイッチングトランジスタは、各サブフレーム内で、オン駆動ゲート信号によって、前記データ信号の各ビットを前記ドライビングトランジスタに印加して、前記ドライビングトランジスタが各サブフレームのオン駆動時間の間、前記有機発光素子にパワー信号を印加する。
【００４５】
本発明の一実施例によれば、平板表示装置の駆動方法において、前記第２スイッチングトランジスタは、各サブフレーム内で、オフ駆動ゲート信号によって、パワー信号を前記ドライビングトランジスタのゲート電極に印加して、前記ドライビングトランジスタがオフ駆動されて、前記有機発光素子が消光される。
【００４６】
また、本発明の平板表示装置の駆動方法は、１つのフレームをオン駆動時間を有する複数のサブフレームに分割する段階と；Ｎビットのソースデータ信号を２進コードで表現される部分と、非２進コードで表現される部分を有するＭビットのデータ信号に変換する段階であって、ＮとＭは各々整数であり、ＭはＮより大きく、前記サブフレームの数はＭであり、前記Ｍビットのデータ信号の各ビットは、前記各サブフレームのオン駆動信号の加重値に対応する段階と；前記各サブフレーム内で、前記Ｍビットのデータ信号の各ビットを、前記画素に印加する段階とを含み、非２進コードで表現される部分で、高いビットの加重値は、低い２つのビットの加重値を合わせたものと同じ、もしくはそれより小さいことを特徴とする。
以下、図を参照して、本発明の各実施例を説明する。 
【発明の効果】
【００４７】
本発明は、２進コードと非２進コードで表現されるサブフレームのオン駆動時間を使用して階調を表示することによって、境界明滅現象と疑似輪郭現象を減少させて、表示品質を改善する効果がある。
【実施例】
【００４８】
図３は、本発明の実施例による時分割駆動方法によって駆動される有機ＥＬ装置を示した図であって、図４は、図３の画素を拡大して示した図である。
【００４９】
図３、図４に示したように、有機ＥＬ装置は、画素Ｐ、データ配線ＤＬ、データ配線ＤＬと交差するオン駆動ゲート配線ＧＰＬ及びオフ駆動ゲート配線ＧＥＬ、パワー配線ＶＤＤＬ、データドライバーＤＤ、ゲートドライバーＧＤ、タイミングコントローラーＴＣ、データコンバーターＤＣ、パワーソースＰＳを含んで構成される。データ配線ＤＬとオン駆動ゲート配線ＧＰＬ及びオフ駆動ゲート配線ＧＥＬのうちの１つと、パワー配線ＶＤＤＬは、画素Ｐを定義する。
【００５０】
画素Ｐは、図４に示したように、第１スイッチングトランジスタＳＴ１、第２スイッチングトランジスタＳＴ２と、ドライビングトランジスタＤＴと、ストレージキャパシターＣと、有機発光素子Ｄとを含んで構成される。
【００５１】
第１スイッチングトランジスタＳＴ１のゲート電極は、オン駆動ゲート配線ＧＰＬに接続されて、第１スイッチングトランジスタＳＴ１のソース電極は、データ配線ＤＬに接続される。また、第１スイッチングトランジスタＳＴ１のドレイン電極は、ドライビングトランジスタＤＴのゲート電極と、第２スイッチングトランジスタＳＴ２のソース電極と、ストレージキャパシターの第１ストレージ電極に接続される。第１スイッチングトランジスタＳＴ１は、オン駆動ゲート配線ＧＰＬに供給されるオン駆動ゲート信号によってオン/オフに駆動される。
【００５２】
ストレージキャパシターＣの第１ストレージ電極は、ドライビングトランジスタＤＴのゲート電極に接続されて、ストレージキャパシターＣの第２ストレージ電極は、ドライビングトランジスタＤＴのソース電極に接続される。ストレージキャパシターＣは、ドライビングトランジスタＤＴのゲート電極とソース電極間の電圧を維持させる。
【００５３】
ドライビングトランジスタＤＴのソース電極は、パワー配線ＶＤＤＬに接続されて、ドライビングトランジスタＤＴのドレイン電極は、有機発光素子Ｄに接続される。
【００５４】
第２スイッチングトランジスタＳＴ２のゲート電極は、オフ駆動ゲート配線ＧＥＬに接続される。第２スイッチングトランジスタＳＴ２は、オフ駆動ゲート配線ＧＥＬに供給されるオフ駆動ゲート信号によってオン/オフに駆動される。
【００５５】
有機発光素子Ｄは、ドライビングトランジスタＤＴに接続される第１電極と、接地端のようにロー(low)信号を供給する端子に接続される第２電極と、第１電極、第２電極間に位置する有機発光層を含んで構成される。第１電極、第２電極は、陽極と陰極のうち、相互に異なる１つに当たる。有機発光層は、図１に示したように、正孔注入層、電子注入層、発光層を含む。ドライビングトランジスタＤＴがオン状態の場合、有機発光素子Ｄは、パワー信号を受けて、発光層は、光を放出して、これによって、映像が表示される。
【００５６】
データドライバーＤＤは、データ配線ＤＬを通じてデータ信号ＤＳを画素に供給する。ゲートドライバーＧＤは、オン駆動ゲート配線ＧＰＬ及びオフ駆動ゲート配線ＧＥＬ各々を通じてオン駆動ゲート信号及びオフ駆動ゲート信号を画素Ｐに供給する。
【００５７】
タイミングコントローラーＴＣは、タイミングによってデータドライバーＤＤにデータ信号ＤＳを供給して、データドライバーＤＤ及びゲートドライバーＧＤを制御して、１つのフレームを複数のサブフレームに分離する。
【００５８】
データコンバーターＤＣは、ソースデータ信号ＤＳを、ソースデータ信号ＤＳより多い数のビットを有するデータ信号ＤＳに変換する。パワーソースＰＳは、パワー信号をパワー配線ＶＤＤＬを通じて画素Ｐに供給する。
【００５９】
図５は、有機ＥＬ装置を駆動するための本発明の実施例による時分割駆動方法のタイミングを示した図である。また、表２は、本発明の実施例による時分割駆動方法で、階調を表示するための各サブ画素のオン駆動時間を示している。
【表２】
2005284254.tif 000004
【００６０】
図５と表２に示したように、データ配線(図４のＤＬ)に供給されたデータ信号は、１２ビットの２進コードと非２進コードで表現されて、２５６(２8)個の階調の情報を有する。すなわち、データ信号の一部ビットは、２進コードの形で表現されて、他のビットは、非２進コードの形で表現される。本発明の実施例では、２番目の次数のビット、３番目の次数のビットは、２進コードの形で表現され、他のビットは、非２進コードの形で表現されて、１番目の次数のビットは、２進コードまたは、非２進コードの形で表現される。
【００６１】
非２進コードで表現されるビットと２進コードで表現されるビットの次数が同じである場合、非２進コードで表現されるビットは、２進コードで表現されるビットより低い加重値を有する。例えば、表２で、非２進コードで表現される４番目の次数のビットの加重値は、「６」であって、表１で、２進コードで表現される４番目の次数のビットの加重値は、「８」である。
【００６２】
本発明の実施例では、１２ビットのデータ信号は、データコンバーター(図３のＤＣ)を通じて８ビットのソースデータ信号から変換され得る。例えば、６番目の階調を表示する８ビットのソースデータ信号「00000110」は、同じ階調を表示する１２ビットのデータ信号「000000000100」に変換される。前述したように、非２進コードで表現されるビットは、２進コードで表現されるビットより低い加重値を有するので、データ信号は、ソースデータ信号に比べて、多数のビットを有することができる。
【００６３】
１つのフレームＦは、タイミングコントローラーＴＣによって、データ信号の各ビットに対応する第１ないし第１２サブフレームＳＦとに分離される。すなわち、データ信号の１番目の次数のビット(最下位ビット)は、第１サブフレームＳＦ１に対応して、データ信号の２番目の次数のビットから１２番目の次数のビットまでは、第２ないし第１２サブフレーム(ＳＦ２ないしＳＦ１２)に各々対応する。
【００６４】
各サブフレームＦは、オン駆動時間ＬＴとオフ駆動時間ＵＴとを有する。有機ＥＬ表示装置の画素は、各サブフレームＳＦの間、垂直方向(Ｖ−scan)に沿って、順にスキャン(scan)されるので、各オン駆動時間ＬＴは、斜線方向に沿う。各サブフレームＳＦのオン駆動時間ＬＴは、各サブフレームに対応するデータ信号のビットの加重値に対応する。従って、第１ないし第１２オン駆動時間(ＬＴ１ないしＬＴ１２)の加重値は、
ＬＴ１：ＬＴ２：ＬＴ３：ＬＴ４：ＬＴ５：ＬＴ６：ＬＴ７：ＬＴ８：ＬＴ９：ＬＴ１０：ＬＴ１１：ＬＴ１２
＝１：２：４：６：１０：１４：１９：２６：３３：４０：４７：５３
のような関係になる。
【００６５】
各サブフレームＳＦのオン駆動時間は、データ信号の各ビットの加重値に対応するために、各サブフレームＳＦのオン駆動時間は、２進コードや非２進コードの形で表現される。本発明の実施例では、各サブフレームＳＦのオン駆動時間は、サブフレームＳＦの順位が増加することによって増加される。すなわち、第１オン駆動時間ＬＴ１は、加重値「１」に対応して、第１２オン駆動時間ＬＴ１２は、加重値「１２」に対応する。ところが、本発明の精神によって、オン駆動時間ＬＴの加重値は、サブフレームＳＦの順位によって増加する必要はない。
【００６６】
画素は、各サブフレームＳＦの間に、データ信号の各ビットが論理値「１」である場合に発光して、論理値「０」である場合に発光しなくなる。従って、論理値が「１」である場合に、オン駆動時間ＬＴは、発光時間に当たる。結局、階調は、１つのフレームＦの間の発光時間を合わせて表示される。
【００６７】
階調が本発明の実施例による時分割駆動方法で表示される場合に、相互に異なる階調を表示するデータ信号の対応するビットの全部または、一部が相互に異なる論理値を有することができる。
【００６８】
例えば、第１データ信号は、１２７番目の階調を表示するため、「001101111101」で表現されて、第２データ信号は、１２８番目の階調を表示するため、「001101111110」で表現される。ここで、第１データ信号と第２データ信号は、１番目の次数のビットと２番目の次数のビットで、相互に異なる論理値を有する。従って、１２７番目の階調を表示する第１画素と、１２８番目の階調を表示する第２画素は、第１、第２サブフレーム(ＳＦ１、ＳＦ２)の間、交差して発光する。結局、第１、第２サブフレーム(ＳＦ１、ＳＦ２)の間、第１画素が交差して発光する時間のパーセンテージは、0.8％(＝(1＋0)/127＊100)になって、第２画素が交差して発光する時間のパーセンテージは、1.6％(＝(0＋2)/128＊100)になる。
【００６９】
また、第１データ信号が１２７番目の階調を表示するため、「001101111101」で表現されて、第３データ信号は、１５９番目の階調を表示するため、「010111111100」で表現される。ここで、第１データ信号と第３データ信号は、１番目の次数のビット、８番目の次数のビット、１０番目の次数のビット、１１番目の次数のビットが、相互に異なる論理値を有する。従って、１２７番目の階調を表示する第１画素と、１５９番目の階調を表示する第３画素は、第１、８、１０、１１サブフレームＳＦ１、ＳＦ８、ＳＦ１０、ＳＦ１１の間、交差して発光する。結局、第１、８、１０、１１サブフレームＳＦ１、ＳＦ８、ＳＦ１０、ＳＦ１１の間、第１画素が交差して発光する時間のパーセンテージは、32％(＝(1＋0＋40＋0)/127＊100)になって、また、第３画素が交差して発光する時間のパーセンテージは、46％(＝(0＋26＋0＋47)/159＊100)になる。
【００７０】
前述した本発明の実施例で、１２ビットのデータ信号は、２進コードと非２進コードで表現することができる。また、非２進コードで表現されるビットと、２進コードで表現されるビットの次数が同じである場合に、非２進コードで表現されるビットは、２進コードで表現されるビットより低い加重値を有する。従って、たとえ相互に異なる論理値を有する対応するビットの次数が高くても、相互に異なる階調を表示する画素が交差して発光する時間は、減少する。
【００７１】
以下、図３ないし図５と、表２とを参照して、本発明の実施例による時分割駆動方法によって、有機ＥＬ表示装置を駆動する方法を説明する。
【００７２】
オン駆動ゲート配線(ＧＰＬ１ないしＧＰＬｎ)は、第１サブフレームＳＦ１のオン駆動時間ＬＴ１の間、垂直方向(Ｖ-scan)に沿って、順にスキャン(scan)される。スキャンされたオン駆動ゲート配線ＧＰＬに接続された画素Ｐの第１スイッチングトランジスタＳＴ１にオン駆動ゲート信号が供給され、第１スイッチングトランジスタＳＴ１は、オン状態になる。スキャンされた画素Ｐには、データ配線(ＤＬ１ないしＤＬｍ)を通じてデータ信号の１番目の次数のビットが伝達される。スキャンされた画素Ｐの第１スイッチングトランジスタＳＴ１は、オン状態であるので、データ信号の１番目の次数のビットは、ドライビングトランジスタＤＴに供給される。データ信号の１番目の次数のビットの論理値が「１」である場合に、ドライビングトランジスタＤＴは、オン状態になって、パワー信号は、有機発光素子Ｄに伝達される。一方、データ信号の１番目の次数のビットが論理値が「０」である場合に、ドライビングトランジスタＤＴは、オフ状態になって、パワー信号は、有機発光素子Ｄに伝達されなくなる。結局、有機発光素子Ｄは、ドライビングトランジスタＤＴがオン状態になった場合に、第１オン駆動時間ＬＴ１の間、光を放出する。
【００７３】
第１オン駆動時間ＬＴ１以後に、第１オフ駆動時間ＵＴ１が始まる。第１オフ駆動時間ＵＴ１の間、オフ駆動ゲート配線(ＧＥＬ１ないしＧＥＬｎ)は、垂直方向(Ｖ-scan)に沿って、順にスキャン(scan)される。スキャンされたオフ駆動ゲート配線ＧＥＬに接続された画素Ｐの第２スイッチングトランジスタＳＴ２にオフ駆動ゲート信号が供給され、第２スイッチングトランジスタＳＴ２をオン状態にする。スキャンされた画素Ｐの第２スイッチングトランジスタＳＴ２は、オン状態であるので、パワー信号は、ドライビングトランジスタＤＴのゲート電極に伝達される。従って、ドライビングトランジスタＤＴのソース電極とゲート電極は、同じ電圧になって、ドライビングトランジスタＤＴは、オフ状態になる。結局、有機発光素子Ｄは、第１オフ駆動時間ＵＴ１の間、光を放出しなくなる。
【００７４】
第１サブフレームＳＦ１の以後、第２ないし第１２サブフレーム(ＳＦ２ないしＳＦ１２)に対しても、第１サブフレームＳＦ１と同様の駆動方法が使用される。
【００７５】
前述したような方法によって、有機ＥＬ表示装置は、１つのフレームＦの間、駆動される。
【００７６】
本発明で、データ信号は、２進コードと非２進コードで表現されて、また、データ信号の各ビットに対応するサブフレームのオン駆動時間は、２進コードと非２進コードで表現されることができる。さらに、データ信号は、ソースデータ信号より多数のビットを有して、従って、たとえ相互に異なる論理値を有する対応するビットの次数が高くても、相互に異なる階調を表示する画素が交差して発光する時間は、減少する。結局、本発明は、境界明滅現象と疑似輪郭現象を減少させることができる。
【００７７】
前述した本発明の実施例は、本発明の一例であって、これらに対する多様な変形が可能である。そのような変形が本発明の精神に含まれ、本発明の権利の範囲に属することは当業者とって明らかであろう。
【図面の簡単な説明】
【００７８】
【図１】一般的な有機ＥＬ発光ダイオードを示した断面図である。
【図２】従来の有機ＥＬの時分割駆動に対するデータ信号のタイミングを示した図である。
【図３】本発明の実施例による有機ＥＬ装置を示した図である。
【図４】図３の画素を拡大して示した図である。
【図５】本発明の実施例による有機ＥＬの時分割駆動に対するデータ信号のタイミングを示した図である。
【符号の説明】
【００７９】
１：基板
２；陽極
３：正孔注入層
４；発光層
５：電子注入層
６：陰極
【図１】
2005284254.tif 000005
【図２】
2005284254.tif 000006
【図３】
2005284254.tif 000007
【図４】
2005284254.tif 000008
【図５】
2005284254.tif 000009